(57)【特許請求の範囲】
【請求項１】
複数の第１端子部が設置される第１回路基板と、
前記複数の第１端子部と対向する複数の第２端子部が設置される第２回路基板と、
前記複数の第１端子部と前記複数の第２端子部とを導通する導通手段と、
前記第１回路基板上に設置され、前記複数の第１端子部のうち少なくとも１つに接続されるＩＣ部と、
を含み、
前記複数の第１端子部の前記ＩＣ部に接続される端子を含む少なくとも２つの隣接する端子間は、コンデンサーを介して接続され、アンテナとして機能することを特徴とする無線通信装置。
【請求項２】
請求項１に記載の無線通信装置において、
前記ＩＣ部は、高周波信号を送受信する高周波アナログＩＣであることを特徴とする無線通信装置。
【請求項３】
請求項２に記載の無線通信装置において、
前記高周波信号は２．４ＧＨｚであることを特徴とする無線通信装置。
【請求項４】
請求項１〜３のいずれか一項に記載の無線通信装置において、
前記導通手段の少なくとも一部は、前記アンテナとして機能することを特徴とする無線通信装置。
【請求項５】
請求項１〜４のいずれか一項に記載の無線通信装置において、
前記複数の第１端子部は、前記第１回路基板の上下又は左右に設置されていることを特徴とする無線通信装置。
【請求項６】
請求項１〜５のいずれか一項に記載の無線通信装置において、
前記第２回路基板上に配置され、前記複数の第２端子部のうち少なくとも１つに接続される第１内部回路を含むことを特徴とする無線通信装置。
【請求項７】
請求項６に記載の無線通信装置において、
前記第１内部回路は表示部であり、前記第２回路基板は表示パネル基板であることを特徴とする無線通信装置。
【請求項８】
請求項５に記載の無線通信装置において、
前記アンテナとして機能する構成は、ダイポールアンテナであることを特徴とする無線通信装置。
【請求項９】
請求項５に記載の無線通信装置において、
前記アンテナとして機能する構成は、ダイバーシティーアンテナであることを特徴とする無線通信装置。
【請求項１０】
請求項６又は７に記載の無線通信装置において、
前記第１回路基板上に設置され、前記複数の第１端子部のうち少なくとも１つに接続され、直流信号又は低周波信号が出力される第２内部回路を含み、
一端が前記第２端子部に接続され、他端が前記第１内部回路に接続される第１高周波遮断素子と、
一端が前記第１端子部に接続され、他端が前記第２内部回路に接続される第２高周波遮断素子と、の少なくとも一方をさらに含むことを特徴とする無線通信装置。
【請求項１１】
請求項１０に記載の無線通信装置において、
前記第１及び第２高周波遮断素子は、インダクタンス素子または抵抗素子であることを特徴とする無線通信装置。
【請求項１２】
請求項１０に記載の無線通信装置において、
前記第２内部回路は、信号処理用のデジタルＩＣであることを特徴とする無線通信装置。
【発明の詳細な説明】
【技術分野】
【０００１】
本発明は、無線通信装置に関するものである。
【背景技術】
【０００２】
近年、無線通信装置の小型化が進み腕時計タイプのものも出現している。小型・軽量化のための高密度実装が必須であるとともに、厳しい受信環境の下、受信感度の向上のためアンテナ構造が重要である。例えば、小型無線通信装置のアンテナを設置する構造が示されている（例えば、特許文献１参照）。
【先行技術文献】
【特許文献】
【０００３】
【特許文献１】特開２００７−２７４６０９号公報
【発明の概要】
【発明が解決しようとする課題】
【０００４】
しかしながら、特許文献１の構造では、チップアンテナ等のアンテナ素子が必要な上、高周波回路とアンテナとの接続手段が必要となり、小型・軽量化、及び低コスト化が困難になる虞がある。
【課題を解決するための手段】
【０００５】
本発明は、上述の課題の少なくとも一部を解決するためになされたものであり、以下の形態又は適用例として実現することが可能である。
【０００６】
［適用例１］複数の第１端子部が設置される第１回路基板と、前記第１回路基板上に設置され、前記複数の第１端子部のうち少なくとも１つに接続される高周波回路と、前記複数の第１端子部と対向する複数の第２端子部が設置される第２回路基板と、前記第２回路基板上に設置され、前記複数の第２端子部のうち少なくとも１つに接続される第１内部回路と、前記複数の第１端子部と前記複数の第２端子部とを導通する導通手段と、を含み、前記複数の第１端子部及び前記複数の第２端子部のうち少なくとも一方の前記高周波回路に接続される端子を含む少なくとも２つの連続する端子間は、コンデンサーを介して接続され、前記複数の第１端子部及び前記複数の第２端子部のうち少なくとも一方の少なくとも１つの連続する端子間は、無線通信用のアンテナとして機能することを特徴とする無線通信装置。
【０００７】
これによれば、小型無線通信装置において、導通手段と接続される複数の第１端子部及び複数の第２端子部のうち少なくとも一方の少なくとも１つの連続する端子間をアンテナとして使用するので、チップアンテナ等のアンテナ素子が不要となる上、アンテナ接続手段も不要となるため、機器の小型・軽量化・低コストが可能となる。
【０００８】
［適用例２］上記無線通信装置であって、前記導通手段の少なくとも一部は、無線通信用のアンテナとして機能することを特徴とする無線通信装置。
【０００９】
これによれば、一般に導通手段は第１回路基板外周部に設置されている。この位置は自由空間に近く、またノイズ源となるＣＰＵ等のＩＣから離れる。したがって、これをアンテナとして機能するように使用した場合、アンテナ性能がさらに向上する。
【００１０】
［適用例３］上記無線通信装置であって、前記複数の第１端子部は、前記第１回路基板の上下又は左右に設置されていることを特徴とする無線通信装置。
【００１１】
これによれば、高性能なアンテナ構成を選択することにより、高周波回路の送信効率及び受信感度が向上する。
【００１２】
［適用例４］上記無線通信装置であって、前記無線通信用のアンテナとして機能する構成は、ダイポールアンテナであることを特徴とする無線通信装置。
【００１３】
これによれば、高性能なアンテナ素子となるので高周波回路の送信効率、受信感度が向上する。モノポールアンテナでは、その性能を発揮させるためには大面積のＧＮＤが必要であるが、腕時計タイプのような小型無線通信装置では十分に確保することが困難である。一方、ダイポールアンテナは原理的にＧＮＤを必要としないため腕時計タイプのような小型無線通信装置においては好適である。
【００１４】
［適用例５］上記無線通信装置であって、前記無線通信用のアンテナとして機能する構成は、ダイバーシティーアンテナであることを特徴とする無線通信装置。
【００１５】
これによれば、受信状態の良い方のアンテナ素子を選択できるため、高性能なアンテナ素子となり高周波回路の送信効率、受信感度が向上する。
【００１６】
［適用例６］上記無線通信装置であって、前記第１回路基板上に設置され、前記複数の第１端子部のうち少なくとも１つに接続され、直流信号又は低周波信号が出力される第２内部回路を含み、一端が前記第２端子部に接続され、他端が前記第１内部回路に接続される第１高周波遮断素子と、一端が前記第１端子部に接続され、他端が前記第２内部回路に接続される第２高周波遮断素子と、の少なくとも一方をさらに含むことを特徴とする無線通信装置。
【００１７】
これによれば、高周波回路とアンテナ機能とは、第１高周波遮断素子を介して第１内部回路と接続された第２回路基板の面にある第２端子部を介して接続されるため、第１内部回路に入力される信号の直流信号又は低周波信号と、高周波回路に使用される高周波信号と、は周波数で分離される。また、高周波回路とアンテナ機能とは、第２高周波遮断素子を介して第２内部回路と接続された第１回路基板の面にある第１端子部を介して接続されるため、第２内部回路に入力される信号の直流信号又は低周波信号と、高周波回路に使用される高周波信号と、は周波数で分離される。
【００１８】
［適用例７］上記無線通信装置であって、前記第１及び第２高周波遮断素子は、インダクタンス素子であることを特徴とする無線通信装置。
【００１９】
これによれば、インダクタンス素子がいわゆるローパスフィルターの働きをする。すなわち、高周波信号の周波数成分に対しては高インピーダンスとなり、直流信号又は低周波信号の周波数成分に対しては低インピーダンスとなるので、第１及び第２内部回路への高周波信号の漏洩を防止することができるとともに、第１及び第２端子部に印加された直流信号又は低周波信号を第１及び第２内部回路へ流すことができる。
【００２０】
［適用例８］上記無線通信装置であって、前記第１及び第２高周波遮断素子は、抵抗素子であることを特徴とする無線通信装置。
【００２１】
これによれば、抵抗素子は、高周波信号（電流量大）を遮断する機能を有している。また、第１及び第２内部回路に流れる電流は微小であるから、ある程度の抵抗値は許容できるため、第１及び第２端子部に印加された直流信号又は低周波信号を第１及び第２内部回路へ流すことができる。
【００２２】
［適用例９］上記無線通信装置であって、前記第１内部回路は、表示部であり、前記第２内部回路は、信号処理用のデジタルＩＣであることを特徴とする無線通信装置。
【００２３】
これによれば、無線通信装置内の情報を目視確認及びデジタル信号処理することができる。
【図面の簡単な説明】
【００２４】
【図１】第１の実施形態に係る腕装着型無線通信装置の全体構成を示す説明図。
【図２】第１の実施形態に係る腕装着型無線通信装置に搭載された回路組立体を示す平面図及び底面図。
【図３】第１の実施形態に係る腕装着型無線通信装置の上面図。
【図４】第１の実施形態に係る腕装着型無線通信装置の上面図。
【図５】第１の実施形態に係る腕装着型無線通信装置の上面図。
【図６】第２の実施形態に係る腕装着型無線通信装置の上面図及び断面図。
【図７】第３の実施形態に係る腕装着型無線通信装置の断面図。
【図８】第３の実施形態に係る腕装着型無線通信装置の上面図。
【図９】第４の実施形態に係る腕装着型無線通信装置の上面図。
【図１０】第５の実施形態に係る腕装着型無線通信装置の断面図。
【図１１】第６の実施形態に係る腕装着型無線通信装置の上面図。
【図１２】第７の実施形態に係るアンテナの構成を示す図。
【図１３】第８の実施形態に係るアンテナの構成を示す図。
【発明を実施するための形態】
【００２５】
図面に基づいて、本実施形態に係る無線通信装置としての腕装着型無線通信装置を説明する。
【００２６】
（第１の実施形態）
図１は、本実施形態に係る腕装着型無線通信装置の全体構成を示す説明図である。図２は、本実施形態に係る腕装着型無線通信装置に搭載された回路組立体を示す平面図及び底面図である。
【００２７】
本実施形態に係る腕装着型無線通信装置２は、液晶表示パネル（表示部）（第１内部回路）１０が配置されている側が表面側とされる装置本体１２と、一対の腕バンド１４Ｒ，１４Ｌとから構成されている。それぞれの腕バンド１４Ｒ，１４Ｌは、各バンド基端が装置本体１２の両端に取り付けられており、これらのバンドは、各末端部で尾錠１６によって相互に結合することが可能になっている。
【００２８】
装置本体１２は、表面側のケーシング１８と、装置本体１２の裏側でケーシング１８の裏側に固定される裏カバー２０とで構成されている。ケーシング１８と裏カバー２０とによって構成された装置本体１２には、回路組立体２２が内蔵されている。回路組立体２２は、その主要構成部品が、装置本体１２の内部においてその厚さ方向に積層配置された構造になっている。すなわち、回路組立体２２では、図２に示すように、液晶表示パネル１０と、回路基板（第１回路基板）２４と、回路駆動用電池２６とが厚さ方向に配置されている。
【００２９】
図３は、本実施形態に係る腕装着型無線通信装置２の上面図である。腕装着型無線通信装置２は、回路基板２４と、表示パネル基板（第２回路基板）３２と、を備えている。回路基板２４上には、後述する種々の集積回路（ＩＣ：Integrated Circuit）と、回路基板側端子と、が配置されている。回路基板２４には、多層基板が用いられ、ガラス−エポキシ基板やフェノール樹脂基板やセラミック基板からなる基板に表層パターン（配線パターン）が形成されている。
【００３０】
表示パネル基板３２上には、液晶表示パネル１０と、後述する表示パネル側端子と、が配置されている。
【００３１】
一般に、回路基板２４上の回路基板側端子と表示パネル基板３２上の表示パネル側端子とは、「導体に金属粒子を使用した導電シリコーンゴムと電気絶縁性シリコーンゴムをゼブラ状に交互に積層したゴムコネクター」（通称ゼブラ、以下ゼブラコネクター（導電手段）と称す）により接続されている。ここで、液晶表示パネル１０に供給される信号は直流信号又は低周波数（１ＭＨｚ以下）の信号であるから、現在通常無線通信に使用される例えば周波数２．４ＧＨｚの高周波信号と分離させることができる。
【００３２】
図４は、本実施形態に係る腕装着型無線通信装置２の上面図である。尚、図４は、回路基板２４から表示パネル基板３２を外した状態である。回路基板２４には、送信及び受信の機能を備える高周波アナログＩＣ３６と、回路基板側端子２８と、高周波アナログＩＣ３６と回路基板側端子２８とを接続する配線５２とが配置されている。高周波アナログＩＣ３６は、例えば２．４ＧＨｚといった高周波信号（ＲＦ信号）を送受信する。
【００３３】
回路基板側端子２８は、回路基板２４と表示パネル基板３２との接続用端子として機能する他に、腕装着型無線通信装置２のアンテナとして機能する。複数の回路基板側端子２８は、それぞれ違った信号を伝送するため、当然分離されている。したがって、そのままではアンテナとして機能しない。そこで、複数の回路基板側端子２８に小容量の結合コンデンサー６８を接続する。つまり、高周波的に接続する。一方、回路基板側端子２８にかかる信号は、直流信号又は低周波数の信号であるから小容量の結合コンデンサー６８で結合しても機能的に問題の発生する虞はない。また、複数の回路基板側端子２８に接続する結合コンデンサー６８の個数でアンテナ長、つまり周波数を調整できる。
【００３４】
一般に回路基板側端子２８は回路基板２４外周部に設置されている。この位置は自由空間に近く、またノイズ源となるＣＰＵ等のＩＣから離れている。したがって、これをアンテナとして使用した場合、アンテナ性能が向上する。
【００３５】
図５は、本実施形態に係る腕装着型無線通信装置２の上面図である。図５は、回路基板２４から表示パネル基板３２を外した状態である。回路基板２４には、信号処理用デジタルＩＣ（第２内部回路）３８が配置されている。信号処理用デジタルＩＣ３８は、アナログ／デジタル変換前に受信信号をサンプリングするデジタル回路やフェイズ・ロック・ループ回路などが組み込まれている。
【００３６】
信号処理用デジタルＩＣ３８への高周波信号の漏洩を確実に防止するため、高周波アナログＩＣ３６から見て、回路基板２４上の信号処理用デジタルＩＣ３８のインピーダンスが低い場合やラインが長い場合には、信号処理用デジタルＩＣ３８と回路基板側端子２８との間に第２高周波遮断素子としてのインダクタンス素子４６あるいは抵抗素子４８を挿入してもよい。信号処理用デジタルＩＣ３８に供給される信号は、直流信号又は低周波数の信号であり、また電流も微小であるからインダクタンス素子４６や抵抗素子４８を挿入してもほとんど問題の発生する虞はない。
【００３７】
また、本実施形態は、ゼブラコネクターを介して高周波信号が表示パネル基板３２へ漏洩する虞があるため、ゼブラコネクターを高抵抗にするかインダクタンス特性を持たせることが望ましい。この場合も、液晶表示パネル１０に供給される信号は、直流信号又は低周波数の信号であり、また電流も微小であるからほとんど問題の発生する虞はない。
【００３８】
本実施形態によれば、腕装着型無線通信装置２において、複数の回路基板側端子２８のうち少なくとも１つの連続する端子間をアンテナとして使用するので、チップアンテナ等のアンテナ素子が不要となる上、アンテナ接続手段も不要となるため、機器の小型・軽量化・低コストが可能となる。
【００３９】
（第２の実施形態）
図６は、本実施形態に係る腕装着型無線通信装置の上面図及び断面図である。図６（Ａ）は上面図であり、図６（Ｂ）は断面図であり、図６（Ｃ）は容量結合を示す図である。尚、図６は、回路基板２４から表示パネル基板３２を外した状態である。また本実施形態の説明において、前述の実施形態と同一の構成については同一の符号を付し、その説明を省略する。
【００４０】
本実施形態に係る腕装着型無線通信装置４は、図６（Ａ）に示すように、前述の腕装着型無線通信装置２の結合コンデンサー６８に換えて、回路基板側端子２８の対向する部分の回路基板２４の外層（あるいは内層）にパターン（導体）６４を設けている。これにより、図６（Ｃ）に示すように、回路基板側端子２８間を容量結合させることにより、回路基板側端子２８をアンテナとして機能させる。
【００４１】
ここで、結合容量について説明する。平板コンデンサーの容量は、Ｃ＝ε×ε0×Ｓ／ｄである。ここで、εは比誘電率、ε0は真空中の誘電率、Ｓは回路基板側端子２８の面積、ｄは回路基板側端子２８とパターン６４との距離である。回路基板２４に高誘電率基板を使用して、εが３０、Ｓが０．４ｍｍ2（長さ２ｍｍ、幅０．２ｍｍ）、ｄが０．０１ｍｍとすると、容量は約１０．６ｐＦとなる。この場合、２．４ＧＨｚのインピーダンスはＺ＝１／ｊωＣである。ここで、ωは角周波数で、コンデンサー１個当たり約６オームで回路基板側端子２８間は約１２オームとなり十分な低インピーダンスで接続できる。この容量により複数の回路基板側端子２８を高周波的に接続する。
【００４２】
一方、回路基板側端子２８にかかる信号は、直流信号又は低周波数の信号であるからこの程度の容量で結合しても問題の発生する虞はない。例えば、周波数が１ＭＨｚとすると１個当たりのインピーダンスは約１５Ｍオームで回路基板側端子２８間は約３０Ｍオームとなりほぼオープンと見なせる。
【００４３】
また、パターン６４の長さでアンテナ長、つまり周波数を調整することができる。例えば、２．４ＧＨｚの真空中の波長λは、１２．５ｃｍである。モノポールアンテナの必要長は、λ／４であるため、３．１２５ｃｍである。ここで例えば、ガラスエポキシ基板を使用した場合、比誘電率εｒは４．７として、アンテナの必要長は３．１２５÷４．７＾（１／２）で１．４４ｃｍとなる。また例えば、高誘電率セラミック基板を使用した場合、比誘電率εｒは３０として、アンテナの必要長は３．１２５÷３０＾（１／２）で０．５７ｃｍとなる。
【００４４】
本実施形態によれば、コンデンサーを実装する必要がないため、さらに装置の小型・軽量化・低コストが可能となる。
【００４５】
（第３の実施形態）
図７は、本実施形態に係る腕装着型無線通信装置の断面図である。本実施形態の説明において、前述の実施形態と同一の構成については同一の符号を付し、その説明を省略する。
【００４６】
本実施形態に係る腕装着型無線通信装置４は、回路基板２４上の回路基板側端子２８と表示パネル基板３２上の表示パネル側端子４０とを接続するゼブラコネクター４２が配置されている。腕装着型無線通信装置４は、第２の実施形態に加えて、ゼブラコネクター４２そのものもアンテナとして機能するように使用する。一般にゼブラコネクター４２は回路基板２４外周部に設置されている。この位置は自由空間に近く、またノイズ源となるＣＰＵ等のＩＣから離れている。したがって、ゼブラコネクター４２をアンテナとして機能するように使用した場合、アンテナ性能がさらに向上する。また、ゼブラコネクター４２によりアンテナとして機能して使用する導体体積が増えるため、アンテナ性能が向上する。尚この場合、ゼブラコネクター４２の抵抗は低い方が望ましい。
【００４７】
図８は、本実施形態に係る腕装着型無線通信装置４の上面図である。液晶表示パネル１０への高周波信号の漏洩を確実に防止するため、高周波アナログＩＣ３６（図６（Ａ）参照）から見て、表示パネル基板３２上の液晶表示パネル１０のインピーダンスが低い場合やラインが長い場合には、液晶表示パネル１０と表示パネル側端子４０との間に第１高周波遮断素子としてのインダクタンス素子４６や抵抗素子４８を挿入してもよい。液晶表示パネル１０に供給される信号は、直流信号又は低周波数の信号であり、また電流も微小であるからインダクタンス素子４６や抵抗素子４８を挿入してもほとんど問題の発生する虞はない。
【００４８】
（第４の実施形態）
図９は、本実施形態に係る腕装着型無線通信装置の上面図である。尚、本実施形態の説明において、前述の実施形態と同一の構成については同一の符号を付し、その説明を省略する。
【００４９】
本実施形態に係る腕装着型無線通信装置６は、前述の腕装着型無線通信装置４に加えて、表示パネル基板３２の表示パネル側端子４０間に結合コンデンサー６８を実装したものである。これにより腕装着型無線通信装置６は、前述の腕装着型無線通信装置４より結合コンデンサーの容量が２倍となる。したがって、これをアンテナとして機能するように使用した場合、アンテナ性能がさらに向上する。
【００５０】
（第５の実施形態）
図１０は、本実施形態に係る腕装着型無線通信装置の断面図である。図１０（Ｂ）は容量結合を示す図である。尚、本実施形態の説明において、前述の実施形態と同一の構成については同一の符号を付し、その説明を省略する。
【００５１】
本実施形態に係る腕装着型無線通信装置８は、図１０（Ａ）に示すように、前述の腕装着型無線通信装置６の結合コンデンサー６８に換えて、表示パネル側端子４０の対向する部分の表示パネル基板３２の外層（あるいは内層）にパターン（導体）６４を設けている。これにより、図１０（Ｂ）に示すように、表示パネル側端子４０間を容量結合させることにより、表示パネル側端子４０をアンテナとして機能させる。
【００５２】
本実施形態によれば、コンデンサーを実装する必要がないため、さらに装置の小型・軽量化・低コストが可能となる。
【００５３】
（第６の実施形態）
図１１は、本実施形態に係る腕装着型無線通信装置の上面図である。尚、本実施形態の説明において、前述の実施形態と同一の構成については同一の符号を付し、その説明を省略する。
【００５４】
一般に、回路基板２４と表示パネル基板３２との接続は上下又は左右一対で行われる。そこで、本実施形態に係る腕装着型無線通信装置９は、それぞれの回路基板側端子２８をアンテナとして機能するように使用する。もちろん第１〜第５の実施形態を適用することは可能である。
【００５５】
（第７の実施形態）
図１２は、本実施形態に係るアンテナの構成を示す図である。尚、本実施形態の説明において、前述の実施形態と同一の構成については同一の符号を付し、その説明を省略する。
【００５６】
本実施形態に係る腕装着型無線通信装置９は、図１２に示すように、２箇所の回路基板側端子２８がダイポールアンテナ５４として機能するように構成する。これにより、高性能なアンテナとなるので送信効率、受信感度が向上する。モノポールアンテナでは、その性能を発揮させるためには大面積のＧＮＤが必要であるが、腕装着型無線通信装置のような小型装置では十分に確保することが困難である。一方、ダイポールアンテナは原理的にＧＮＤを必要としないため腕装着型無線通信装置のような小型無線装置においては好適である。
【００５７】
（第８の実施形態）
図１３は、本実施形態に係るアンテナの構成を示す図である。尚、本実施形態の説明において、前述の実施形態と同一の構成については同一の符号を付し、その説明を省略する。
【００５８】
本実施形態に係る腕装着型無線通信装置９は、図１３に示すように、２箇所の回路基板側端子２８がダイバーシティーアンテナ５６として機能するように構成する。これにより、２つの電波受信ルートで信号を入力させるようにしたため、受信状態の良い方のアンテナの機能を選択できるため、高性能なアンテナとなり送信効率、受信感度が向上する。
【００５９】
尚、本実施形態を利用できる無線通信装置としては、上記に示す腕装着型無線通信装置以外にも、省スペースに高周波回路とアンテナ素子とを使用するページャー（携帯用小型無線機呼び出し機）、電話機、テレビ、ＧＰＳ（Global Positioning System）等の衛星受信機、及び無線ＬＡＮ（Local Area Network）等がある。
【符号の説明】
【００６０】
２，４，６，８，９…腕装着型無線通信装置（無線通信装置）  １０…液晶表示パネル（表示部）（第１内部回路）  １２…装置本体  １４Ｒ，１４Ｌ…腕バンド  １６…尾錠  １８…ケーシング  ２０…裏カバー  ２２…回路組立体  ２４…回路基板（第１回路基板）  ２６…回路駆動用電池  ２８…回路基板側端子（第１端子部）  ３２…表示パネル基板（第２回路基板）  ３６…高周波アナログＩＣ（高周波回路）  ３８…信号処理用デジタルＩＣ（第２内部回路）  ４０…表示パネル側端子（第２端子部）  ４２…ゼブラコネクター（導通手段）  ４６…インダクタンス素子（第１及び第２高周波遮断素子）  ４８…抵抗素子（第１及び第２高周波遮断素子）  ５２…配線  ５４…ダイポールアンテナ  ５６…ダイバーシティーアンテナ  ６４…パターン  ６８…結合コンデンサー（コンデンサー）。
【図１】
0005724313.tif 000002
【図２】
0005724313.tif 000003
【図３】
0005724313.tif 000004
【図４】
0005724313.tif 000005
【図５】
0005724313.tif 000006
【図６】
0005724313.tif 000007
【図７】
0005724313.tif 000008
【図８】
0005724313.tif 000009
【図９】
0005724313.tif 000010
【図１０】
0005724313.tif 000011
【図１１】
0005724313.tif 000012
【図１２】
0005724313.tif 000013
【図１３】
0005724313.tif 000014